(57)【要約】【課題】照明器具を構成するランプがソケットから外れることを未然に防ぐことができるようにする。【解決手段】照明器具Ｌにおいて、ソケット１は、ソケット本体１０の一端部寄りに設けられた雌ねじ部１３と、雌ねじ部１３よりもソケット本体１０の他端部寄りに設けられたソケット側非ねじ部１５とを有している。ランプ２は、ランプ本体２０の一端部寄りに設けられた雄ねじ部２３と、雄ねじ部２３よりもランプ本体２０の他端部寄りに設けられたランプ側非ねじ部２４ｂとを有している。そして、ランプ本体２０をソケット本体１０の開口部１０ａに挿入してソケット本体１０内で回転させることにより雄ねじ部２３および雌ねじ部１３が互いに螺合状態になるとともに、螺合状態を脱した状態で雌ねじ部１３がランプ側非ねじ部２４ｂと対向しかつ雄ねじ部２３がソケット側非ねじ部１５と対向している。【選択図】図５
2019106267.tif 000002
【特許請求の範囲】
【請求項１】
ソケットおよび前記ソケットに挿入可能なランプを備えた照明器具であって、
前記ソケットは、
一端部に前記ランプが挿入される開口部を有し、かつ他端部に底部を有する有底円筒状のソケット本体と、
前記ソケット本体の前記一端部寄りにあって、前記ソケット本体の内側面に配置された雌ねじ部と、
前記雌ねじ部より前記他端部寄りにあって、前記ソケット本体の内側面に配置されたソケット側非ねじ部と、を有し、
前記ランプは、
前記ソケット本体内に挿入される円柱状のランプ本体と、
前記ランプ本体の一端部寄りにあって、前記ランプ本体の外側面に配置された雄ねじ部と、
前記雄ねじ部より前記ランプ本体の他端部寄りにあって、前記ランプ本体の外側面に配置されたランプ側非ねじ部と、を有し、
前記ランプ本体を前記ランプ本体の前記一端部から前記ソケット本体の前記開口部に挿入して前記ソケット本体内で回転させることにより前記雄ねじ部および前記雌ねじ部が互いに螺合状態になるとともに、前記螺合状態を脱した状態で前記雌ねじ部が前記ランプ側非ねじ部と対向しかつ前記雄ねじ部が前記ソケット側非ねじ部と対向している、照明器具。
【請求項２】
請求項１に記載の照明器具において、
前記ランプは、前記ランプ本体の前記一端部寄りに、前記ランプ本体の前記外側面から半径方向外側に向かって突出する突起部を有しており、
前記ソケットは、
前記雌ねじ部が部分的に凹陥したガイド溝部と、
前記ソケット本体の前記一端部寄りに、前記ソケット本体の前記内側面から半径方向内側に向かって突出する位置決め部と、を有し、
前記突起部が前記ガイド溝部を通って前記ソケット本体内に挿入されかつ前記螺合状態を脱したときに、前記突起部が前記位置決め部と当接する、照明器具。
【請求項３】
請求項１または２に記載の照明器具において、
前記ソケット本体は、
前記底部に前記ソケット本体の中心軸方向に貫通する係止孔と、
前記底部において前記係止孔に対応する位置に配置され、前記ランプを外部の電源装置と電気的に接続するための端子部と、を有し、
前記ランプ本体の前記一端部には、前記一端部から前記ランプ本体の中心軸方向に向かって突出しかつ前記係止孔に係止可能な口金部が設けられており、
前記口金部は、前記係止孔に係止された状態で前記端子部と電気的に接続されている、照明器具。
【請求項４】
ランプを挿入可能な照明器具用のソケットであって、
前記ランプは、
円柱状のランプ本体と、
前記ランプ本体の一端部寄りにあって、前記ランプ本体の外側面に配置された雄ねじ部と、
前記雄ねじ部より前記ランプ本体の他端部寄りにあって、前記ランプ本体の外側面に配置されたランプ側非ねじ部と、を有し、
前記ソケットは、
一端部に前記ランプが挿入される開口部を有し、かつ他端部に底部を有する有底円筒状のソケット本体と、
前記ソケット本体の前記一端部寄りにあって、前記ソケット本体の内側面に配置された雌ねじ部と、
前記雌ねじ部より前記他端部寄りにあって、前記ソケット本体の内側面に配置されたソケット側非ねじ部と、を有し、
前記ランプ本体を前記ランプ本体の前記一端部から前記ソケット本体の前記開口部に挿入して前記ソケット本体内で回転させることにより前記雄ねじ部および前記雌ねじ部が互いに螺合状態になるとともに、前記螺合状態を脱した状態で前記雌ねじ部が前記ランプ側非ねじ部と対向しかつ前記ソケット側非ねじ部が前記雄ねじ部と対向している、照明器具用のソケット。
【請求項５】
請求項４に記載の照明器具用のソケットにおいて、
前記ランプは、前記ランプ本体の前記一端部寄りに、前記ランプ本体の前記外側面から半径方向外側に向かって突出する突起部を有しており、
前記ソケットは、
前記雌ねじ部が部分的に凹陥したガイド溝部と、
前記ソケット本体の前記一端部寄りに、前記ソケット本体の前記内側面から半径方向内側に向かって突出する位置決め部と、を有し、
前記突起部が前記ガイド溝部を通って前記ソケット本体内に挿入されかつ前記螺合状態を脱したときに、前記位置決め部が前記突起部と当接する、照明器具用のソケット。
【請求項６】
請求項４または５に記載の照明器具用のソケットにおいて、
前記ランプ本体の前記一端部には、前記一端部から前記ランプ本体の中心軸方向に向かって突出する口金部が設けられており、
前記ソケット本体は、
前記底部に前記ソケット本体の中心軸方向に貫通する係止孔と、
前記底部において前記係止孔に対応する位置に配置され、前記ランプを外部の電源装置と電気的に接続するための端子部と、を有している、照明器具用のソケット。
【請求項７】
ソケットに挿入可能な照明器具用のランプであって、
前記ソケットは、
一端部に前記ランプが挿入される開口部を有し、かつ他端部に底部を有する有底円筒状のソケット本体と、
前記ソケット本体の前記一端部寄りにあって、前記ソケット本体の内側面に配置された雌ねじ部と、
前記雌ねじ部より前記他端部寄りにあって、前記ソケット本体の内側面に配置されたソケット側非ねじ部と、を有し、
前記ランプは、
前記ソケット本体内に挿入される円柱状のランプ本体と、
前記ランプ本体の一端部寄りにあって、前記ランプ本体の外側面に配置された雄ねじ部と、
前記雄ねじ部より前記ランプ本体の他端部寄りにあって、前記ランプ本体の外側面に配置されたランプ側非ねじ部と、を有し、
前記ランプ本体を前記ランプ本体の前記一端部から前記ソケット本体の前記開口部に挿入して前記ソケット本体内で回転させることにより前記雄ねじ部および前記雌ねじ部が互いに螺合状態になるとともに、前記螺合状態を脱した状態で前記雄ねじ部が前記ソケット側非ねじ部と対向しかつ前記ランプ側非ねじ部が前記雌ねじ部と対向している、照明器具用のランプ。
【請求項８】
請求項７に記載の照明器具用のランプにおいて、
前記ランプは、前記ランプ本体の前記一端部寄りに、前記ランプ本体の前記外側面から半径方向外側に向かって突出する突起部を有しており、
前記ソケットは、
前記雌ねじ部が部分的に凹陥したガイド溝部と、
前記ソケット本体の前記一端部寄りに、前記ソケット本体の前記内側面から半径方向内側に向かって突出する位置決め部と、を有し、
前記突起部が前記ガイド溝部を通って前記ソケット本体内に挿入されかつ前記螺合状態を脱したときに、前記突起部が前記位置決め部と当接する、照明器具用のランプ。
【請求項９】
請求項７または８に記載の照明器具用のランプにおいて、
前記ソケット本体は、
前記底部に前記ソケット本体の中心軸方向に貫通する係止孔と、
前記底部において前記係止孔に対応する位置に配置され、前記ランプを外部の電源装置と電気的に接続するための端子部と、を有し、
前記ランプ本体の前記一端部には、前記一端部から前記ランプ本体の中心軸方向に向かって突出しかつ前記係止孔に係止可能な口金部が設けられており、
前記口金部は、前記係止孔に係止された状態で前記端子部と電気的に接続されている、照明器具用のランプ。
【発明の詳細な説明】
【技術分野】
【０００１】
本発明は照明器具ならびにそれを構成するソケットおよびランプに関するものである。
【背景技術】
【０００２】
従来から、照明器具に関して、例えば特許文献１に示されるものが知られている。
【０００３】
特許文献１には、ソケットおよびソケットに挿入可能なランプを備えた照明器具が開示されている。ソケットは、開口部が形成された有底円筒状のハウジングと、ハウジングの内側面側に形成された雌ねじ部（ねじ山９）と、雌ねじ部と電気的に接続された第１電極（電極５，１２，１８）と、ハウジング内に設けられた第２電極（電極５，１３，１７）と、を有している。一方、ランプは、白熱灯からなるバルブと、バルブの一端側に設けられた電極としての雄ねじ部（ねじ山２０）と、雄ねじ部の先端部に設けられたランプ側電極部（電極２１）と、を有している。
【先行技術文献】
【特許文献】
【０００４】
【特許文献１】特表２００９−５１６３３９号公報
【発明の概要】
【発明が解決しようとする課題】
【０００５】
特許文献１の照明器具では、ランプの雄ねじ部をハウジングの開口部に挿入して雌ねじ部にねじ込むことにより、ランプがソケットに対して保持されるようになっている。しかしながら、特許文献１の照明器具では、長期間に亘る使用または外部要因よる振動などの影響を受けた場合に雄ねじ部と雌ねじ部との螺合状態が緩みやすくなり、その結果、ランプがソケットから落下などにより外れてしまうおそれがあった。
【０００６】
本発明は斯かる点に鑑みてなされたものであり、その目的は、ランプがソケットから外れることを未然に防ぐことにある。
【課題を解決するための手段】
【０００７】
上記の目的を達成するために、本発明の一実施形態に係る照明器具は、ソケットおよびソケットに挿入可能なランプを備えた照明器具であり、ソケットは、一端部にランプが挿入される開口部を有し、かつ他端部に底部を有する有底円筒状のソケット本体と、ソケット本体の一端部寄りにあって、ソケット本体の内側面に配置された雌ねじ部と、雌ねじ部より他端部寄りにあって、ソケット本体の内側面に配置されたソケット側非ねじ部と、を有している。ランプは、ソケット本体内に挿入される円柱状のランプ本体と、ランプ本体の一端部寄りにあって、ランプ本体の外側面に配置された雄ねじ部と、雄ねじ部よりランプ本体の他端部寄りにあって、ランプ本体の外側面に配置されたランプ側非ねじ部と、を有している。そして、ランプ本体をランプ本体の一端部からソケット本体の開口部に挿入してソケット本体内で回転させることにより雄ねじ部および雌ねじ部が互いに螺合状態になるとともに、螺合状態を脱した状態で雌ねじ部がランプ側非ねじ部と対向しかつ雄ねじ部がソケット側非ねじ部と対向していることを特徴とする。
【発明の効果】
【０００８】
本発明によると、ランプがソケットから外れることを未然に防ぐことができる。
【図面の簡単な説明】
【０００９】
【図１】図１は、本発明の実施形態に係る照明器具を示す全体斜視図である。
【図２】図２は、本発明の実施形態に係る照明器具を示す分解斜視図である。
【図３】図３は、照明器具の組立過程において突起部がガイド溝部を通過した後の状態を示す斜視図である。
【図４】図４は、照明器具の組立過程において雄ねじ部と雌ねじ部との螺合状態を示す斜視図である。
【図５】図５は、照明器具の組立過程において突起部が位置決め部に当接したときの状態を示す斜視図である。
【図６】図６は、照明器具の組立過程において口金部を係止孔に挿入したときの状態を示す斜視図である。
【図７】図７は、図５の状態における雄ねじ部および雌ねじ部の位置関係を示す部分拡大縦断面図である。
【図８】図８は、図６の状態における口金部および係止孔の位置関係を示す平面図である。
【図９】図９は、図１の状態における口金部および係止孔の位置関係を示す平面図である。
【図１０】図１０は、照明器具および外部の電源装置の機能構成を示すブロック図である。
【図１１】図１１は、ソケットを底面側から見たときの状態を示す斜視図である。
【図１２】図１２は、ソケットの底面図である。
【発明を実施するための形態】
【００１０】
以下、本発明の実施形態を図面に基づいて詳細に説明する。以下の実施形態の説明は、本質的に例示に過ぎず、本発明、その適用物或いはその用途を制限することを意図するものではない。
【００１１】
図１〜図６は、本発明の実施形態に係る照明器具Ｌの全体を示している。図１〜図６に示すように、照明器具Ｌは、ソケット１およびランプ２を主たる要素部材として備えている。以下、各部材について詳細に説明する。
【００１２】
図１〜図６に示すように、ソケット１は、ソケット本体１０を有している。ソケット本体１０は、主に樹脂材などの絶縁材で構成されている。図１１および図１２にも示すように、ソケット本体１０は、中心軸Ｃの方向に延びる有底円筒状に形成されている。ソケット本体１０の一端部（図１〜図６に示したソケット本体１０の下側）には、ランプ２を挿入するための円形状の開口部１０ａが形成されている。また、ソケット本体１０の他端部（図１〜図６に示したソケット本体１０の上側）には、円形板状の底部１１が形成されている。
【００１３】
底部１１には、ソケット１の中心軸Ｃ方向に貫通する係止孔１２，１２が形成されている。具体的に、各係止孔１２は、略円形状の第１孔部１２ａと、底部１１の周方向に沿って湾曲状に延びる第２孔部１２ｂとを含んでいる。第２孔部１２ｂは、第１孔部１２ａと連続していて、長手方向に直交する幅寸法が第１孔部１２ａの直径よりも小さい寸法となるように形成されている。
【００１４】
ソケット１は、ねじ山が設けられた雌ねじ部１３を有している。雌ねじ部１３は、ソケット本体１０の下側（開口部１０ａ寄り）に配置されている。雌ねじ部１３のねじ山は、ソケット本体１０の内側面に周方向に形成されている。具体的に、雌ねじ部１３は、ソケット本体１０の内側面から半径方向内側に向かって突出している。雌ねじ部１３は、後述のランプ本体２０をソケット本体１０の開口部１０ａに挿入してソケット本体１０内で回転させることにより後述の雄ねじ部２３と螺合する。そして、雌ねじ部１３は、雄ねじ部２３との螺合状態を脱した後に後述のランプ側非ねじ部２４と対向するように構成されている。
【００１５】
雌ねじ部１３には、中心軸Ｃ方向に延びるガイド溝部１４，１４が形成されている。ガイド溝部１４，１４は、後述するランプ本体２０がソケット本体１０内に挿入されたときに後述する突起部２１をソケット本体１０内に案内するためのものである。各ガイド溝部１４は、雌ねじ部１３が部分的に凹陥状に形成されている。ガイド溝部１４，１４は、各々が底面視でソケット本体１０の半径方向内側で互いに対向する位置に配置されている。
【００１６】
ソケット１は、ねじ山が設けられていないソケット側非ねじ部１５を有している。ソケット側非ねじ部１５は、ソケット本体１０の他端部に寄った上側に配置されている。具体的に、ソケット側非ねじ部１５は、雌ねじ部１３よりもソケット本体１０の他端部寄りに隣接するソケット本体１０の内側面として構成されている。
【００１７】
ソケット本体１０の他端部寄りには、位置決め部１６が設けられている。位置決め部１６は、ソケット本体１０の内側面から半径方向内側に向かって突出していて、中心軸Ｃ方向に延びている。
【００１８】
ソケット本体１０の底部１１には、ランプ２を外部の電源装置Ｐと電気的に接続するための端子部１７，１７が設けられている。具体的に、各端子部１７は、導電性を有する金属板などからなる。各端子部１７は、各係止孔１２に対応する位置に配置されていて、底部１１の外面に取り付けられている。そして、各端子部１７は、ランプ２に設けられた後述の各口金部２２と電気的に接続されるようになっている。
【００１９】
次に、図１〜図６に示すように、ランプ２は、ランプ本体２０を有している。ランプ本体２０の内部には、ＬＥＤなどの光源部２０ａおよび回路部２０ｂが設けられている（図１０参照）。
【００２０】
ランプ本体２０は、中心軸Ｃを同じとする円柱状の円柱部２０Ａと円錐状の円錐部２０Ｂとを有する。円柱部２０Ａは、ランプ本体２０の一端部寄り（図１〜図６に示すランプ本体２０の上側）に配置されている。円錐部２０Ｂは、ランプ本体２０の他端部寄り（図１〜図６に示すランプ本体２０の下側）に配置されている。円柱部２０Ａの直径は、ソケット本体１０の開口部１０ａからソケット本体１０の内部に挿入可能な大きさである。
【００２１】
円柱部２０Ａには、突起部２１が設けられている。突起部２１は、円柱部２０Ａの外側面である後述のランプ側非ねじ部２４ａから半径方向外側に向かって突出している。この突起部２１は、ガイド溝部１４を通ってソケット本体１０内に挿入された状態で位置決め部１６と当接することによりランプ本体２０の回転を阻止するように構成されている。
【００２２】
円柱部２０Ａには、ソケット本体１０の係止孔１２，１２に係止可能な口金部２２，２２が設けられている。各口金部２２は、ソケット本体１０の各係止孔１２に係止された状態で各端子部１７と電気的に接続されるようになっている。
【００２３】
各口金部２２は、ピン部２２ａおよび円盤部２２ｂを有している。ピン部２２ａは、円柱状であり、ランプ本体２０の円柱部２０Ａから中心軸Ｃ方向に向かって突出している。円盤部２２ｂは、ピン部２２ａの直径より大きい直径の円盤状であって、ピン部２２ａの先端に配置されている。
【００２４】
ランプ２は、雄ねじ部２３を有している。雄ねじ部２３は、ランプ本体２０の円柱部２０Ａに配置されている。具体的に、雄ねじ部２３のねじ山は、円柱部２０Ａの外側面に周方向に形成されていて、外側面から半径方向外側に向かって突出している。なお、図１および図３〜図６では、雄ねじ部２３を、雌ねじ部１３と区別して表すために二点鎖線で表している。
【００２５】
雄ねじ部２３は、ランプ本体２０の円柱部２０Ａをソケット本体１０の開口部１０ａに挿入してソケット本体１０内で時計回り方向に回転させることにより雌ねじ部１３に対してねじ込まれるようになっている。そして、雄ねじ部２３は、雌ねじ部１３を通過した後にソケット側非ねじ部１５と対向する位置まで移動可能となっている。
【００２６】
また、ランプ２は、ねじ山が設けられていないランプ側非ねじ部２４ａ，２４ｂを有している。ランプ側非ねじ部２４ａ，２４ｂは、ランプ本体２０の外側面であって、雄ねじ部２３を挟むように配置されている。
【００２７】
次に、照明器具Ｌの組立方法を説明する。
【００２８】
まず、図２に示すように、ランプ２をソケット１に挿入する前に、突起部２１をいずれか一方のガイド溝部１４の位置に合わせる。この位置合わせを行った後に、ランプ本体２０を、突起部２１をガイド溝部１４に沿わせながらソケット本体１０の他端部側（底部１１側）に向かって移動させて開口部１０ａからソケット本体１０内に挿入する。
【００２９】
次に、突起部２１がガイド溝部１４を通過した後（図３参照）、ランプ本体２０をソケット本体１０内で時計回り方向に回転させてランプ２の雄ねじ部２３をソケット１の雌ねじ部１３にねじ込んでいく（図４参照）。ランプ本体２０を回転させていくと、雄ねじ部２３と雌ねじ部１３との螺合状態が脱した状態となり、雄ねじ部２３が雌ねじ部１３を完全に通過してソケット側非ねじ部１５と対向する位置まで移動する（図５参照）。このとき、雄ねじ部２３がソケット側非ねじ部１５と対向するとともに、ランプ側非ねじ部２４が雌ねじ部１３と対向するようになる（図７参照）。なお、この状態において、口金部２２は未だ端子部１７と電気的に接続されていない。
【００３０】
一方、雄ねじ部２３が雌ねじ部１３を完全に通過すると、突起部２１が位置決め部１６に当接してランプ本体２０が回転しないようになる（図５参照）。そして、突起部２１と位置決め部１６との当接状態を維持したまま、ランプ２をソケット１の底部１１に向かって移動させる。これにより、各口金部２２の円盤部２２ｂが各係止孔１２の第１孔部１２ａに挿入された状態となる（図６および図８参照）。なお、この状態では、突起部２１が位置決め部１６よりもソケット本体２０の他端部寄りに位置することになり、ランプ本体２０はソケット本体１０に対して時計回り方向に回転可能となっている。
【００３１】
各口金部２２を各係止孔１２の第１孔部１２ａに挿入した後に、ランプ２をソケット１に対し時計回り方向（図８では反時計回り方向）に回転させる。これにより、各口金部２２が各係止孔１２の第１孔部１２ａから第２孔部１２ｂに向かって相対的に移動する。そして、ランプ本体２０を、各口金部２２の円盤部２２ｂが各端子部１７に当接するまで回転させる。各口金部２２の円盤部２２ｂが各端子部１７に当接すると、各口金部２２が各端子部１７と電気的に接続可能な状態となる（図１および図９参照）。つまり、ランプ２が、端子部１７，１７を介して外部の電源装置Ｐと電気的に接続可能な状態となる（図１０参照）。これにより、照明器具Ｌの組み立てが完了となる。
【００３２】
［実施形態の作用効果］
以上のように、照明器具Ｌでは、ランプ本体２０をランプ本体２０の一端部側からソケット本体１０の開口部１０ａに挿入してソケット本体１０内で回転させることにより雄ねじ部２３および雌ねじ部１３が互いに螺合状態になるとともに、螺合状態を脱した状態で雌ねじ部１３がランプ側非ねじ部２４と対向しかつ雄ねじ部２３がソケット側非ねじ部１５と対向している。すなわち、上記螺合状態を脱した後では、雄ねじ部２３がソケット本体１０内で雌ねじ部１３よりもソケット本体２０の他端部寄りの位置まで移動することから、ランプ本体２０を反転させない限り雄ねじ部２３と雌ねじ部１３とが再び螺合しないようになっている。このため、ランプ本体２０がソケット本体１０の開口部１０ａから容易に抜け落ちることがなく、ランプ本体２０がソケット本体１０内に挿入された状態を安定的に維持することが可能となる。これにより、照明器具Ｌでは、上記従来技術の問題点、すなわち、長期間に亘る使用または外部要因より発生した振動などの影響を受けて雄ねじ部２３および雌ねじ部１３の螺合状態が緩むことによりランプ２がソケット１から落下などにより外れてしまうという問題が解消される。したがって、本発明の実施形態に係る照明器具Ｌでは、ランプ２がソケット１から外れることを未然に防ぐことができる。
【００３３】
また、突起部２１がガイド溝部１４を通ってソケット本体１０内に挿入されかつ螺合状態を脱したときに、突起部２１が位置決め部１６と当接するようになっている。言い換えると、突起部２１が位置決め部１６に当接すると、雄ねじ部２３が雌ねじ部１３よりもソケット本体２０の他端部寄りの位置まで移動した状態となる。これにより、ランプ２をソケット１に組み付けるときに、組立者が上記螺合状態を脱した状態を適切に把握することができる。
【００３４】
また、各口金部２２は、各係止孔１２に係止された状態で各端子部１７と電気的に接続されている。これにより、各口金部２２を、ソケット本体１０に安定的に保持した状態で各端子部１７と電気的に接続することができる。すなわち、ランプ２を、ソケット１に対して安定させた状態で外部の電源装置Ｐと電気的に接続させることができる。
【００３５】
［その他の実施形態］
上記実施形態として、突起部２１および位置決め部１６を設けた形態を示したが、この形態に限られない。すなわち、照明器具Ｌとして、突起部２１および位置決め部１６が設けられていない形態としてもよい。なお、かかる形態では、突起部２１を形成するための土台部分に相当するランプ側非ねじ部２４ａも特に必要でないことから、ランプ側非ねじ部２４ａを設けずに、雄ねじ部２３をランプ本体２０の円柱部２０Ａ側に形成してもよい。
【００３６】
また、口金部２２，２２および端子部１７，１７に関し、上記実施形態で示した形状に限られず、種々の形状にすることが可能である。例えば、各口金部２２をピン部２２ａのみで構成するとともに、各端子部１７を、係止孔１２から上方に突き出したピン部２２ａを左右方向から挟み込むような構成にしてもよい。
【００３７】
以上、本発明についての実施形態を説明したが、本発明は上述の実施形態のみに限定されず、発明の範囲内で種々の変更が可能である。
【産業上の利用可能性】
【００３８】
本発明は、照明器具として産業上の利用が可能である。
【符号の説明】
【００３９】
Ｌ：照明器具
１：ソケット
２：ランプ
１０：ソケット本体
１０ａ：開口部
１１：底部
１２：係止孔
１３：雌ねじ部
１４：ガイド溝部
１５：ソケット側非ねじ部
１６：位置決め部
１７：端子部
２０：ランプ本体
２１：突起部
２２：口金部
２３：雄ねじ部
２４ａ，２４ｂ：ランプ側非ねじ部
【図１】
2019106267.tif 000003
【図２】
2019106267.tif 000004
【図３】
2019106267.tif 000005
【図４】
2019106267.tif 000006
【図５】
2019106267.tif 000007
【図６】
2019106267.tif 000008
【図７】
2019106267.tif 000009
【図８】
2019106267.tif 000010
【図９】
2019106267.tif 000011
【図１０】
2019106267.tif 000012
【図１１】
2019106267.tif 000013
【図１２】
2019106267.tif 000014